(57)【特許請求の範囲】
【請求項１】
エレベータの昇降路の底部又は底部近傍に設けられ、直流電力が入力された際に、当該直流電力を交流電力に変換して前記エレベータのかごを移動させるモータに供給するインバータと、
前記昇降路の底部又は底部近傍に設けられ、交流電力が入力された際に、当該交流電力を直流電力に変換して前記インバータに供給するダイオードコンバータと、
前記インバータと前記ダイオードコンバータとよりも上方で前記昇降路に設けられ、交流電力が入力された際に、当該交流電力を直流電力に変換して前記インバータに供給し、前記インバータからの直流電力を回生する回生コンバータと、
前記昇降路の底部又は底部近傍に設けられ、電源から交流電力が入力された際に、当該交流電力の供給先を前記ダイオードコンバータと前記回生コンバータとの間で切り換え得るように設けられた切換装置と、
前記エレベータの通常稼動時に前記電源からの交流電力の供給先が前記回生コンバータとなるように前記切換装置が設定されている場合に前記回生コンバータを利用して前記モータを駆動し、前記回生コンバータの故障時に前記電源からの交流電力の供給先が前記ダイオードコンバータとなるように前記切換装置が設定されている場合に前記ダイオードコンバータを利用して前記モータを駆動することにより前記かごを前記回生コンバータに接近させる制御盤と、
を備えたことを特徴とするエレベータの制御装置。
【請求項２】
前記制御盤と前記切換装置とを接続する配線、
を備え、
前記制御盤は、前記切換装置と前記配線とを収納する空間を有し、前記インバータ、前記ダイオードコンバータ、前記回生コンバータを制御することを特徴とする請求項１記載のエレベータの制御装置。
【請求項３】
前記制御盤は、前記インバータと前記ダイオードコンバータとを収納したことを特徴とする請求項２記載のエレベータの制御装置。
【発明の詳細な説明】
【技術分野】
【０００１】
この発明は、エレベータの制御装置に関するものである。
【背景技術】
【０００２】
エレベータの制御装置として、回生コンバータとダイオードコンバータとが一体化されたコンバータを制御盤で制御するものが提案されている。この制御装置によれば、回生コンバータが故障した場合、ダイオードコンバータを利用して、エレベータを運転することができる（例えば、特許文献１参照）。
【先行技術文献】
【特許文献】
【０００３】
【特許文献１】特開昭６０−１７８１７４号公報
【発明の概要】
【発明が解決しようとする課題】
【０００４】
しかしながら、回生コンバータは、外形の大きさの制約等によって、制御盤とは異なる筐体に収納される。このため、特許文献１記載のものにおいては、回生コンバータを昇降路の底部から離れた位置に設ける場合、ダイオードコンバータも昇降路の底部から離れた位置に設ける必要がある。この場合、回生コンバータを据え付ける際、ダイオードコンバータを利用してかごを移動させることができない。このため、足場枠ややぐら等を組んで、回生コンバータ等を据え付ける必要がある。
【０００５】
この発明は、上述のような課題を解決するためになされたもので、その目的は、回生コンバータを昇降路の底部から離れた位置に据え付ける際に据付作業の足場としてかごを利用しつつ、回生コンバータが故障してもエレベータを運転することができるエレベータの制御装置を提供することである。
【課題を解決するための手段】
【０００６】
この発明に係るエレベータの制御装置は、エレベータの昇降路の底部又は底部近傍に設けられ、直流電力が入力された際に、当該直流電力を交流電力に変換して前記エレベータのかごを移動させるモータに供給するインバータと、前記昇降路の底部又は底部近傍に設けられ、交流電力が入力された際に、当該交流電力を直流電力に変換して前記インバータに供給するダイオードコンバータと、前記インバータと前記ダイオードコンバータとよりも上方で前記昇降路に設けられ、交流電力が入力された際に、当該交流電力を直流電力に変換して前記インバータに供給し、前記インバータからの直流電力を回生する回生コンバータと、前記昇降路の底部又は底部近傍に設けられ、電源から交流電力が入力された際に、当該交流電力の供給先を前記ダイオードコンバータと前記回生コンバータとの間で切り換え得るように設けられた切換装置と、前記エレベータの通常稼動時に前記電源からの交流電力の供給先が前記回生コンバータとなるように前記切換装置が設定されている場合に前記回生コンバータを利用して前記モータを駆動し、前記回生コンバータの故障時に前記電源からの交流電力の供給先が前記ダイオードコンバータとなるように前記切換装置が設定されている場合に前記ダイオードコンバータを利用して前記モータを駆動することにより前記かごを前記回生コンバータに接近させる制御盤と、を備えたものである。
【発明の効果】
【０００７】
この発明によれば、回生コンバータを昇降路の底部から離れた位置に据え付ける際に据付作業の足場としてかごを利用しつつ、回生コンバータが故障してもエレベータを運転することができる。
【図面の簡単な説明】
【０００８】
【図１】この発明の実施の形態１におけるエレベータの制御装置の構成図である。
【図２】この発明の実施の形態１におけるエレベータの制御装置の据付作業を説明するための図である。
【図３】この発明の実施の形態２におけるエレベータの制御装置の中継ボックスを説明するための図である。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１におけるエレベータの制御装置の構成図である。
【００１１】
図１の制御装置は、機械室のないエレベータに利用される。図１において、１はモータである。モータ１は、建築物に形成された昇降路（図示せず）内に設けられる。２は制御盤である。制御盤２は、昇降路の底部（ピット）又は底部近傍に設けられる。例えば、制御盤２は、建築物の最下階に対応した位置に設けられる。制御盤２内には、インバータ３、回生抵抗４、ダイオードコンバータ５、平滑コンデンサ６が設けられる。
【００１２】
インバータ３は、複数のトランジスタ等を備える。インバータ３の出力端は、モータ１の入力端に接続される。インバータ３は、直流電力が入力された際に、当該直流電力を交流に変換してモータ１に供給する機能を備える。回生抵抗４は、インバータ３の入力側に接続される。回生抵抗４は、モータ１からの直流電力を消費する機能を備える。
【００１３】
ダイオードコンバータ５は、複数のダイオードを備える。ダイオードコンバータ５の出力端は、インバータ３の入力端に接続される。ダイオードコンバータ５は、交流電力が入力された際に、当該交流電力を直流電力に変換してインバータ３に供給する機能を備える。平滑コンデンサ６は、インバータ３とダイオードコンバータ５との間に設けられる。平滑コンデンサ６は、インバータ３に入力される電力を平滑化する機能を備える。
【００１４】
７は回生コンバータ盤である。回生コンバータ盤７は、制御盤２よりも上方で昇降路内に設けられる。例えば、回生コンバータ盤７は、建築物の２階に対応した位置に設けられる。回生コンバータ盤７内には、回生コンバータ８が収納される。回生コンバータ８は、複数のトランジスタ等を備える。回生コンバータ８の出力端は、インバータ３の入力端に接続される。回生コンバータ８は、交流電力が入力された際に、当該交流電力を直流電力に変換してインバータ３に供給する機能を備える。回生コンバータ８は、インバータ３からの直流電力を回生する機能を備える。
【００１５】
９は中継ボックスである。中継ボックス９は、昇降路内で制御盤２近傍に設けられる。中継ボックス９内には、開閉器１０が設けられる。開閉器１０の入力端は、建築物の動力電源（図示せず）の出力端に接続される。開閉器１０の出力端の一方は、ダイオードコンバータ５の入力端に接続される。開閉器１０の出力端の他方は、回生コンバータ８の入力端に接続される。開閉器１０は、切換装置として、動力電源から交流電力が入力された際に、当該交流電力の供給先をダイオードコンバータ５と回生コンバータ８との間で切り換え得る機能を備える。
【００１６】
次に、図２を用いて、制御装置の据付作業を説明する。
図２はこの発明の実施の形態１におけるエレベータの制御装置の据付作業を説明するための図である。
【００１７】
図２の左側において、１１は配線である。配線１１は、制御盤２と中継ボックス９と接続する。エレベータの出荷時には、中継ボックス９と配線１１とは、制御盤２の上部に収納される。この状態で、制御盤２は、昇降路の底部に据え付けられる。その後、図２の右側に示すように、中継ボックス９は、制御盤２の上部から取り出される。その後、中継ボックス９は、制御盤２近傍に据え付けられる。
【００１８】
昇降路内では、所定の高さまでガイドレール（図示せず）が据え付けられる。モータ１が所定の位置に据え付けられる。かご（図示せず）がガイドレールに案内自在に設けられる。つり合い錘（図示せず）がガイドレールに案内自在に設けられる。主索（図示せず）がモータ１の綱車（図示せず）に巻き掛けられる。主索の一端がかごに取り付けられる。主索の他端がつり合い錘に取り付けられる。
【００１９】
この状態で、モータ１とインバータ３とが接続される。その後、回生コンバータ盤７がかご床（図示せず）に搬入される。その後、開閉器１０の操作により、開閉器１０の入力端と出力端の一方との導通が確保される。この状態で、作業員がかごに乗り込む。その後、制御盤２は、ダイオードコンバータ５を利用してモータ１を駆動する。
【００２０】
当該駆動により、かごが上昇する。その後、かごが２階相当で停止する。この状態で、作業員は、回生コンバータ盤７を昇降路の壁に据え付ける。その後、開閉器１０の出力端の他方が配線１２を介して回生コンバータ８の入力端に接続される。その後、開閉器１０の出力端の他方が回生コンバータ８の入力端に接続される。
【００２１】
その後、開閉器１０の操作により、開閉器１０の入力端と出力端の他方との導通が確保される。この状態で、エレベータが通常稼動する。すなわち、エレベータの通常稼動時、制御盤２は、回生コンバータ８を利用してモータ１を駆動する。
【００２２】
次に、エレベータの通常稼動時に、回生コンバータ８が故障した場合を説明する。この場合、ブレーキ（図示せず）が開放される。当該開放により、かごが最寄階や救出階まで移動する。その後、当該階でかご内の利用者が救出される。その後、開閉器１０の操作により、開閉器１０の入力端と出力端の他方との導通が遮断される。すなわち、開閉器１０の入力端と出力端の一方との導通が確保される。
【００２３】
その後、作業員がかごに乗り込む。その後、制御盤２は、かご上から回生コンバータ８に接近できる位置まで、ダイオードコンバータ５を利用してかごを移動させる。その後、作業員は、かご内からかご上に移動し、回生コンバータ８の修理や機能回復等を行う。
【００２４】
以上で説明した実施の形態１によれば、開閉器１０の操作により、動力電源からの交流電力の供給先をダイオードコンバータ５と回生コンバータ８との間で切り換えることができる。しかも、開閉器１０は、昇降路の底部又は底部近傍に設けられる。このため、中継ボックス９等、許容範囲のコストを負担するだけで、回生コンバータ８を昇降路の底部から離れた位置に設置する際に、据付作業の足場としてかごを利用することができる。
【００２５】
また、エレベータが通常稼動しているときに回生コンバータ８が故障した際に、ダイオードコンバータ５を利用してかごを移動させることができる。このため、かごを利用して、回生コンバータ８に接近することができる。すなわち、かご上から回生コンバータ８に接近する際に、錘をかごに載せてブレーキを開放する必要がない。このため、錘の準備、錘の搬入、作業時間等、多くのコストや復旧時間をかける必要がない。その結果、利用者の救出時間を含めた回生コンバータ８の復旧時間を大幅に短縮することができる。
【００２６】
また、中継ボックス９と配線１２とは、エレベータの出荷時において、制御盤２に収納される。このため、据付時に中継ボックス９等を探す必要がない。また、据付時に制御盤２と中継ボックス９との接続作業を行う必要もない。その結果、制御装置の据付作業を省力化することができる。
【００２７】
また、制御盤２は、インバータ３とダイオードコンバータ５とを収納する。このため、制御装置の据付作業をより省力化することができる。
【００２８】
なお、中継ボックス９を制御盤２内に収納したままにしてもよい。この場合、制御装置の据付作業をより省力化することができる。
【００２９】
なお、回生コンバータ８を昇降の底部又は底部近傍に設ける場合は、回生コンバータ８を制御盤２に収納してもよい。この場合、制御装置の据付作業をより省力化することができる。
【００３０】
また、据付現場で制御盤２と中継ボックス９とを配線１１で接続してもよい。この場合でも、回生コンバータ８を昇降路の底部から離れた位置に設置する際に、据付作業の足場としてかごを利用することができる。
【００３１】
また、エレベータの出荷時において、中継ボックス９を制御盤２に添付してもよい。この場合でも、回生コンバータ８を昇降路の底部から離れた位置に設置する際に、据付作業の足場としてかごを利用することができる。
【００３２】
また、エレベータの出荷時において、中継ボックス９を制御盤２の外部に取り付けてもよい。この場合でも、回生コンバータ８を昇降路の底部から離れた位置に設置する際に、据付作業の足場としてかごを利用することができる。
【００３３】
また、回生コンバータ８が故障した際に、自動的に開閉器１０が切り換るようにしてもよい。この場合、回生コンバータ８の復旧時間をより短縮することができる。
【００３４】
実施の形態２．
図３はこの発明の実施の形態２におけるエレベータの制御装置の中継ボックスを説明するための図である。なお、実施の形態１と同一又は相当部分には同一符号を付して説明を省略する。
【００３５】
実施の形態１の中継ボックス９には、開閉器１０が収納されていた。一方、実施の形態２の中継ボックス９には、端子台１３が収納されている。端子台１３の一側の中央部には、配線１４の一端が接続される。配線１４の他端は、動力電源の出力端に接続される。端子台１３の一側の上部には、配線１５の一端が接続される。配線１５の他端は、ダイオードコンバータ５の入力端に接続される。端子台１３の一側の下部には、配線１６の一端が接続される。配線１６の他端は、回生コンバータ８の入力端に接続される。
【００３６】
図３の左側に示すように、エレベータの出荷時や回生コンバータ８の故障時には、リード線１７を介して、配線１４の一端と配線１５の一端とが接続される。このため、動力電源の出力端とダイオードコンバータ５の入力端とが導通する。これに対し、図３の右側に示すように、エレベータの通常稼動時には、リード線１７を介して、配線１４の一端と配線１６の一端とが接続される。このため、動力電源の出力端と回生コンバータ８の入力端とが導通する。
【００３７】
以上で説明した実施の形態２によれば、開閉器１０を用いなくても、動力電源からの交流電力の供給先をダイオードコンバータ５と回生コンバータ８との間で容易に切り換えることができる。
【００３８】
なお、端子台１３の並び方向や並び順番は適宜変更してもよい。この場合であっても、動力電源からの交流電力の供給先をダイオードコンバータ５と回生コンバータ８との間で容易に切り換えることができる。
【符号の説明】
【００３９】
１  モータ
２  制御盤
３  インバータ
４  回生抵抗
５  ダイオードコンバータ
６  平滑コンデンサ
７  回生コンバータ盤
８  回生コンバータ
９  中継ボックス
１０  開閉器
１１、１２  配線
１３  端子台
１４〜１６  配線
１７  リード線
【図１】
0005810733.tif 000002
【図２】
0005810733.tif 000003
【図３】
0005810733.tif 000004